(57)【特許請求の範囲】
【請求項１】
協調送信機能を有さない１つの第１の端末に対して、協調基地局と協調してデータを送信し、前記協調基地局に対して協調送信に用いる送信パラメータを指示する接続基地局として機能する基地局であって、
前記第１の端末から、前記接続基地局と前記第１の端末との間の第１のチャネル状態情報（ＣＳＩ：Channel State Information）を受信し、前記第１の端末以外の協調送信機能を有する少なくとも１つの第２の端末の各々から、前記接続基地局と当該第２の端末との間の第２のＣＳＩ、及び、前記協調基地局と当該第２の端末との間の第３のＣＳＩを受信する受信部と、
前記少なくとも１つの第２の端末のうち、前記第１のＣＳＩと前記第２のＣＳＩとが最も近い端末に対応する前記第３のＣＳＩを、前記協調基地局と前記第１の端末との間のＣＳＩの推定値として設定する推定部と、
前記第１のＣＳＩ及び前記推定値を用いて、前記送信パラメータを決定する決定部と、
を具備する基地局。
【請求項２】
ＣＳＩはチャネル品質を表すＣＱＩ（Channel Quality Indicator）を含み、
前記決定部は、前記第１のＣＳＩを構成するＣＱＩと、前記推定値として設定された前記第２のＣＳＩを構成するＣＱＩとが略等しい場合、ＣＱＩを用いて適応変調符号化（ＡＭＣ：Adaptive Modulation and Coding）制御又は周波数スケジューリングを行い、前記送信パラメータとしてＡＭＣ制御又は周波数スケジューリングの結果を前記送信パラメータとする、
請求項１に記載の基地局。
【請求項３】
ＣＳＩはチャネルの位相情報を表すＰＭＩ（Precoding Matrix Indicator）を含み、
前記決定部は、前記第１のＣＳＩを構成するＰＭＩと、前記推定値として設定された前記第２のＣＳＩを構成するＰＭＩとが一致する場合、ＰＭＩを用いてビーム制御を行い、ビーム制御の結果を前記送信パラメータとする、
請求項１に記載の基地局。
【請求項４】
前記第１の端末はＬＴＥシステムに対応する端末であり、前記第２の端末はＬＴＥ−Ａｄｖａｎｃｅｄシステムに対応する端末である、
請求項１に記載の基地局。
【請求項５】
協調送信機能を有さない１つの第１の端末に対して、接続基地局と協調してデータを送信し、前記接続基地局から協調送信に用いる送信パラメータを受信する協調基地局として機能する基地局であって、
前記第１の端末以外の前記協調基地局に接続する少なくとも１つの第２の端末の各々から、前記協調基地局と当該第２の端末との間のチャネル状態情報（ＣＳＩ：Channel State Information）、及び、当該第２の端末における前記接続基地局から送信された参照信号の受信電力を示す第１のＲＳＲＰ（Reference Signal Received Power）、及び、当該第２の端末における前記協調基地局から送信された参照信号の受信電力を示す第２のＲＳＲＰを受信し、
前記少なくとも１つの第２の端末のうち、前記第１のＲＳＲＰと前記第２のＲＳＲＰとの比が所定の範囲内である端末に対応する前記ＣＳＩを、前記協調基地局と前記第１の端末との間のＣＳＩの推定値として設定し、
前記設定されたＣＳＩを前記接続基地局へ通知する、
基地局。
【請求項６】
協調送信機能を有さない１つの第１の端末に対して、協調基地局と協調してデータを送信し、前記協調基地局に対して協調送信に用いる送信パラメータを指示する接続基地局として機能する基地局における送信制御方法であって、
前記第１の端末から、前記接続基地局と前記第１の端末との間の第１のチャネル状態情報（ＣＳＩ：Channel State Information）を受信し、前記第１の端末以外の協調送信機能を有する少なくとも１つの第２の端末の各々から、前記接続基地局と当該第２の端末との間の第２のＣＳＩ、及び、前記協調基地局と当該第２の端末との間の第３のＣＳＩを受信し、
前記少なくとも１つの第２の端末のうち、前記第１のＣＳＩと前記第２のＣＳＩとが最も近い端末に対応する前記第３のＣＳＩを、前記協調基地局と前記第１の端末との間のＣＳＩの推定値として設定し、
前記第１のＣＳＩ及び前記推定値を用いて、前記送信パラメータを決定する、
送信制御方法。
【請求項７】
協調送信機能を有さない１つの第１の端末に対して、接続基地局と協調してデータを送信し、前記接続基地局から協調送信に用いる送信パラメータを受信する協調基地局として機能する基地局における送信制御方法であって、
前記第１の端末以外の前記協調基地局に接続する少なくとも１つの第２の端末の各々から、前記協調基地局と当該第２の端末との間のチャネル状態情報（ＣＳＩ：Channel State Information）、及び、当該第２の端末における前記接続基地局から送信された参照信号の受信電力を示す第１のＲＳＲＰ（Reference Signal Received Power）、及び、当該第２の端末における前記協調基地局から送信された参照信号の受信電力を示す第２のＲＳＲＰを受信し、
前記少なくとも１つの第２の端末のうち、前記第１のＲＳＲＰと前記第２のＲＳＲＰとの比が所定の範囲内である端末に対応する前記ＣＳＩを、前記協調基地局と前記第１の端末との間のＣＳＩの推定値として設定し、
前記設定されたＣＳＩを前記接続基地局へ通知する、
送信制御方法。
【発明の詳細な説明】
【技術分野】
【０００１】
本開示は、基地局及び送信制御方法に関する。
【背景技術】
【０００２】
３ＧＰＰ（3rd Generation Partnership Project）では、ＬＴＥ（Long Term Evolution）を拡張したＬＴＥ−Ａｄｖａｎｃｅｄにおいて、基地局協調送信（ＣｏＭＰ：Coordinated Multi-Point transmission）の運用が検討されている。ＣｏＭＰ送信では、複数の基地局（ＢＳ（Base Station）又はｅＮＢと称されることもある）が１つの端末（ＭＳ（Mobile Station）又はＵＥ（User Equipment）と称されることもある）に対してデータを協調して送信し、端末が複数の基地局から送信されたデータを合成することにより、端末における受信品質を改善することができる。
【０００３】
図１は、複数の基地局、及び、当該複数の基地局がカバーする各セルに存在する端末の一例を示す。
【０００４】
なお、以下では、ＬＴＥシステム（例えば、３ＧＰＰのRelease 8, 9）に対応する端末を「ＬＴＥ端末」と称し、ＬＴＥ−Ａｄｖａｎｃｅｄシステム（例えば、３ＧＰＰのRelease 10以降）に対応する端末を「ＬＴＥ−Ａ端末」と称する。
【０００５】
図１に示すように、複数の基地局は、ＣｏＭＰ送信を行う場合、ＣｏＭＰ送信に関する送信制御の内容を決定する１つの基地局（以下、接続基地局又はMaster BSと称することもある）と、Master BSからのＣｏＭＰ送信制御の指示に従ってＣｏＭＰ送信を行う他の基地局（以下、協調基地局又はSlave BSと称することもある）とから構成される。
【０００６】
接続基地局は、自局に接続しているＬＴＥ−Ａ端末が接続基地局及び協調基地局からそれぞれ送信されたＣＳＩ−ＲＳ（Channel State Information Reference Signal）を用いて測定したチャネル状態情報（ＣＳＩ）を、当該ＬＴＥ−Ａ端末から取得する。すなわち、接続基地局は、接続基地局とＬＴＥ−Ａ端末との間のＣＳＩ、及び、協調基地局とＬＴＥ−Ａ端末との間のＣＳＩを取得する。
【０００７】
なお、ＣＳＩには、チャネル品質を表すＣＱＩ（Channel Quality Indicator）、及び、チャネルの位相情報を表すＰＭＩ（Precoding Matrix Indicator）が含まれる。
【０００８】
接続基地局は、ＬＴＥ−Ａ端末から報告される、接続基地局に対するＣＳＩ及び協調基地局に対するＣＳＩを用いて、ＣｏＭＰ送信の制御を最適化する。ＣｏＭＰ送信の制御方法としては、例えば、ＡＭＣ（Adaptive Modulation Coding）制御、周波数スケジューリング、ビーム制御等が挙げられる。
【０００９】
ところで、図１に示すように、通信システムには、ＣｏＭＰ通信可能なＬＴＥ−Ａ端末に加え、ＬＴＥ端末も混在することが想定される。しかし、ＬＴＥシステムでは、ＣｏＭＰ送信のように複数の基地局から１つのＬＴＥ端末に対して信号を協調送信することは規定されていない。また、ＬＴＥシステムでは、ＬＴＥ端末が、接続している１つの基地局から送信されるＣＲＳ（Cell-specific Reference Signal）を用いて当該基地局とＬＴＥ端末との間のＣＳＩを報告することが規定されているが、複数の基地局から送信されるＣＳＩ−ＲＳを用いて、接続基地局以外の他の基地局（図１では協調基地局）に対するＣＳＩを報告することは規定されていない。つまり、ＬＴＥ端末にはＣｏＭＰ送信を適用することが困難であった。
【００１０】
これに対して、特許文献１には、端末が、接続基地局に対するＣＱＩと、協調基地局に対するＣＱＩとをサブフレーム毎に時分割で送信する方法が開示されている。そして、基地局は、端末から送信される各基地局に対するＣＱＩを用いて、各基地局の送信電力を最適化することにより、ＣｏＭＰ送信の最適化を図っている。
【先行技術文献】
【特許文献】
【００１１】
【特許文献１】特許第５１８９１１１号公報
【発明の概要】
【発明が解決しようとする課題】
【００１２】
しかしながら、特許文献１では、ＬＴＥ端末が或る基地局に対するＣＱＩを測定／送信している間は、他の基地局に対するＣＱＩを測定／送信することができない。一方、上述したように、ＬＴＥ−Ａｄｖａｎｃｅｄシステムでは、接続基地局は、複数の基地局に対するＣＳＩをＬＴＥ−Ａ端末から同時に取得することが可能である。このため、特許文献１では、ＬＴＥ−Ａ端末と比較して、接続基地局において、ＬＴＥ端末から複数の基地局のＣＱＩを取得し、当該ＬＴＥ端末に対してＣｏＭＰ送信を適用するまでに時間を要してしまう。また、特許文献１では、ＬＴＥ端末に対して、複数の基地局に対するチャネル状態情報（ＣＳＩ）を測定し、基地局へ送信するための機能を新たに備える必要がある。
【００１３】
本開示の一態様に係る発明は、ＬＴＥ端末の機能を拡張することなく、ＬＴＥ端末に対してもＬＴＥ−Ａ端末と同様にしてＣｏＭＰ送信を適用することができる基地局及び送信制御方法を提供することを目的とする。
【課題を解決するための手段】
【００１４】
本開示の一態様に係る基地局は、１つの第１の端末に対して、協調基地局と協調してデータを送信し、前記協調基地局に対して協調送信に用いる送信パラメータを指示する接続基地局として機能する基地局であって、前記第１の端末から、前記接続基地局と前記第１の端末との間の第１のチャネル状態情報（ＣＳＩ：Channel State Information）を受信し、前記第１の端末以外の少なくとも１つの第２の端末の各々から、前記接続基地局と当該第２の端末との間の第２のＣＳＩ、及び、前記協調基地局と当該第２の端末との間の第３のＣＳＩを受信する受信部と、前記少なくとも１つの第２の端末のうち、前記第１のＣＳＩと前記第２のＣＳＩとが最も近い端末に対応する前記第３のＣＳＩを、前記協調基地局と前記第１の端末との間のＣＳＩの推定値として設定する推定部と、前記第１のＣＳＩ及び前記推定値を用いて、前記送信パラメータを決定する決定部と、を具備する構成を採る。
【００１５】
本開示の一態様に係る基地局は、１つの第１の端末に対して、接続基地局と協調してデータを送信し、前記接続基地局から協調送信に用いる送信パラメータを受信する協調基地局として機能する基地局であって、前記第１の端末以外の少なくとも１つの第２の端末の各々から、前記協調基地局と当該第２の端末との間のチャネル状態情報（ＣＳＩ：Channel State Information）、及び、当該第２の端末における前記接続基地局から送信された参照信号の受信電力を示す第１のＲＳＲＰ（Reference Signal Received Power）、及び、当該第２の端末における前記協調基地局から送信された参照信号の受信電力を示す第２のＲＳＲＰを受信し、前記少なくとも１つの第２の端末のうち、前記第１のＲＳＲＰと前記第２のＲＳＲＰとの比が所定の範囲内である端末に対応する前記ＣＳＩを、前記協調基地局と前記第１の端末との間のＣＳＩの推定値として設定し、前記設定されたＣＳＩを前記接続基地局へ通知する。
【００１６】
本開示の一態様に係る送信制御方法は、１つの第１の端末に対して、協調基地局と協調してデータを送信し、前記協調基地局に対して協調送信に用いる送信パラメータを指示する接続基地局として機能する基地局における送信制御方法であって、前記第１の端末から、前記接続基地局と前記第１の端末との間の第１のチャネル状態情報（ＣＳＩ：Channel State Information）を受信し、前記第１の端末以外の少なくとも１つの第２の端末の各々から、前記接続基地局と当該第２の端末との間の第２のＣＳＩ、及び、前記協調基地局と当該第２の端末との間の第３のＣＳＩを受信し、前記少なくとも１つの第２の端末のうち、前記第１のＣＳＩと前記第２のＣＳＩとが最も近い端末に対応する前記第３のＣＳＩを、前記協調基地局と前記第１の端末との間のＣＳＩの推定値として設定し、前記第１のＣＳＩ及び前記推定値を用いて、前記送信パラメータを決定する。
【００１７】
本開示の一態様に係る送信制御方法は、１つの第１の端末に対して、接続基地局と協調してデータを送信し、前記接続基地局から協調送信に用いる送信パラメータを受信する協調基地局として機能する基地局における送信制御方法であって、前記第１の端末以外の少なくとも１つの第２の端末の各々から、前記協調基地局と当該第２の端末との間のチャネル状態情報（ＣＳＩ：Channel State Information）、及び、当該第２の端末における前記接続基地局から送信された参照信号の受信電力を示す第１のＲＳＲＰ（Reference Signal Received Power）、及び、当該第２の端末における前記協調基地局から送信された参照信号の受信電力を示す第２のＲＳＲＰを受信し、前記少なくとも１つの第２の端末のうち、前記第１のＲＳＲＰと前記第２のＲＳＲＰとの比が所定の範囲内である端末に対応する前記ＣＳＩを、前記協調基地局と前記第１の端末との間のＣＳＩの推定値として設定し、前記設定されたＣＳＩを前記接続基地局へ通知する。
【発明の効果】
【００１８】
本開示の一態様によれば、ＬＴＥ端末の機能を拡張することなく、ＬＴＥ端末に対してもＬＴＥ−Ａ端末と同様にしてＣｏＭＰ送信を適用することができる。
【図面の簡単な説明】
【００１９】
【図１】ＣｏＭＰ送信を行う通信システムの構成例を示す図
【図２】実施の形態１に係る通信システムの構成例を示す図
【図３】実施の形態１に係る接続基地局及び協調基地局の構成を示すブロック図
【図４】実施の形態１に係るＣｏＭＰ送信処理を示すシーケンス図
【図５】実施の形態１に係るＣＳＩ推定処理の説明に供する図
【図６】実施の形態１に係るＣＳＩ推定値の評価例を示す図
【図７】実施の形態２に係る通信システムの構成例を示す図
【図８】実施の形態２に係る接続基地局及び協調基地局の構成を示すブロック図
【図９】実施の形態２に係るＣｏＭＰ送信処理を示すシーケンス図
【図１０】実施の形態２に係るＣＳＩ推定処理の説明に供する図
【図１１】実施の形態２に係るＣＳＩ推定値の評価例を示す図
【発明を実施するための形態】
【００２０】
以下、本開示の一態様に係る発明の各実施の形態について、図面を参照して詳細に説明する。
【００２１】
なお、以下では、ＬＴＥ規格、または、ＬＴＥ−Ａｄｖａｎｃｅｄ規格を用いた移動通信システムに各実施の形態を適用する場合について説明するが、これに限定されるものではない。
【００２２】
［実施の形態１］
［通信システムの概要］
図２は、本実施の形態に係る通信システムの構成例を示す。図２に示す通信システム１０では、図１と同様、複数の基地局（図２では２つの基地局）が１つの端末に対してＣｏＭＰ送信を行う。
【００２３】
例えば、図２では、接続基地局１００及び協調基地局２００が１つの端末（ＣｏＭＰ適用端末）に対してＣｏＭＰ送信を行う。以下では、図２に示すＣｏＭＰ適用端末がＬＴＥ端末である場合について説明する。
【００２４】
また、以下では、図２に示す通信システム１０においてＬＴＥ端末とＬＴＥ−Ａ端末とが混在する場合を想定する。なお、図２では、一例として、ＣｏＭＰ適用端末及びＬＴＥ−Ａ端末１、２は、接続基地局１００に接続されているものとする。また、これらの端末は、接続基地局１００及び協調基地局２００の双方のセルが重複するエリア（セルエッジ）に位置する。
【００２５】
また、接続基地局１００及び協調基地局２００は、端末に対して、ＣＲＳ及びＣＳＩ−ＲＳを送信する。
【００２６】
よって、接続基地局１００に接続しているＣｏＭＰ適用端末（ＬＴＥ端末）は、接続基地局１００から送信されるＣＲＳを用いて、接続基地局１００とＣｏＭＰ適用端末との間のＣＳＩを測定／報告できるものの、協調基地局２００から送信されるＣＳＩ−ＲＳを用いて、協調基地局２００とＣｏＭＰ適用端末との間のＣＳＩを測定／報告できない。
【００２７】
［接続基地局１００及び協調基地局２００の構成］
図３は、本実施の形態に係る接続基地局１００及び協調基地局２００の構成の一例を示すブロック図である。なお、図３には、接続基地局１００及び協調基地局２００の構成要素のうち、本開示の一態様に係る発明に関連する部分が主に示されている。
【００２８】
接続基地局１００は、接続基地局１００及び協調基地局２００によるＣｏＭＰ送信における協調送信に用いる送信パラメータを決定し、決定した送信パラメータを協調基地局２００へ指示する基地局である。接続基地局１００は、アンテナ１０１、受信処理部１０２、判定部１０３、ＣＳＩ推定部１０４、協調送信制御決定部１０５、協調送信制御部１０６、送信処理部１０７を含む構成を採る。
【００２９】
受信処理部１０２は、アンテナ１０１を介して受信した信号に対して受信処理（Ａ／Ｄ変換、ダウンコンバートなど）を施し、受信処理後の信号を判定部１０３及びＣＳＩ推定部１０４へ出力する。
【００３０】
受信信号には、接続基地局１００に接続されたＬＴＥ端末及びＬＴＥ−Ａ端末から送信される情報が含まれる。
【００３１】
例えば、ＬＴＥ端末から送信される情報として、ＬＴＥ端末において接続基地局１００及び協調基地局２００の各々から送信された参照信号を用いて測定された受信信号電力（ＲＳＲＰ：Reference Signal Received Power）、及び、ＬＴＥ端末において接続基地局１００から送信されたＣＲＳを用いて測定されたＣＳＩが含まれる。
【００３２】
また、ＬＴＥ−Ａ端末から送信される情報として、ＬＴＥ−Ａ端末において接続基地局１００及び協調基地局２００の各々から送信された参照信号を用いて測定されたＲＳＲＰ、及び、ＬＴＥ−Ａ端末において接続基地局１００及び協調基地局２００の各々から送信されたＣＳＩ−ＲＳを用いて測定されたＣＳＩが含まれる。
【００３３】
なお、接続基地局１００（Master BS）から送信された参照信号（ＣＳＩ−ＲＳ又はＣＲＳ等）を用いて生成されたＲＳＲＰ及びＣＳＩを「ＲＳＲＰ（Master）」及び「ＣＳＩ（Master）」と表す。また、協調基地局２００（Slave BS）から送信された参照信号（ＣＳＩ−ＲＳ又はＣＲＳ等）を用いて生成されたＲＳＲＰ及びＣＳＩを「ＲＳＲＰ（Slave）」及び「ＣＳＩ（Slave）」と表す。また、双方の基地局に対するＲＳＲＰ及びＣＳＩをまとめて「ＲＳＲＰ（Master, Slave）」及び「ＣＳＩ（Master, Slave）」と表すこともある。
【００３４】
ここでは、ＣｏＭＰ適用端末はＬＴＥ端末であるので、受信処理部１０２は、ＣｏＭＰ適用候補のＬＴＥ端末のＲＳＲＰ（Master, Slave）及びＣＳＩ（Master）を判定部１０３に出力する。また、受信処理部１０２は、接続基地局１００に接続されたＬＴＥ−Ａ端末のＲＳＲＰ（Master, Slave）及びＣＳＩ（Master，Slave）をＣＳＩ推定部１０４に出力する。
【００３５】
判定部１０３は、受信処理部１０２から受け取るＣｏＭＰ適用候補の端末の情報に基づいて、当該端末に対してＣｏＭＰ送信を適用（開始）するか否かを判定する。例えば、判定部１０３は、ＣｏＭＰ適用候補の端末について、接続基地局１００に対するＲＳＲＰ（Master）と協調基地局２００に対するＲＳＲＰ（Slave）の差が所定の閾値未満である場合、当該端末に対するＣｏＭＰ送信を開始すると判定してもよい。ＲＳＲＰ（Master）とＲＳＲＰ（Slave）の差が所定の閾値未満である場合とは、当該端末が双方の基地局のセルエッジに位置している状態が想定される（例えば、図２に示すＣｏＭＰ適用端末の状態）。判定部１０３は、ＣｏＭＰ送信の適用を決定した場合、ＣｏＭＰ適用端末のＲＳＲＰ（Master, Slave）及びＣＳＩ（Master）をＣＳＩ推定部１０４に出力する。
【００３６】
ＣＳＩ推定部１０４は、ＣｏＭＰ適用端末のＣＳＩ（Slave）が存在しない場合、判定部１０３から受け取るＣｏＭＰ適用端末のＣＳＩ（Master）、及び、受信処理部１０２から受け取るＬＴＥ−Ａ端末のＣＳＩ（Master，Slave）を用いて、ＣｏＭＰ適用端末のＣＳＩ（Slave）を推定する。ＣＳＩ推定部１０４は、ＣｏＭＰ適用端末のＲＳＲＰ（Master，Slave）、ＣＳＩ（Master）、及び、推定したＣＳＩ推定値（Slave）を協調送信制御決定部１０５に出力する。なお、ＣＳＩ推定部１０４におけるＣＳＩ推定方法の詳細については後述する。
【００３７】
協調送信制御決定部１０５は、ＣＳＩ推定部１０４から受け取るＣｏＭＰ適用端末のＲＳＲＰ（Master，Slave）、ＣＳＩ（Master）及びＣＳＩ推定値（Slave）を用いて、協調送信に用いる送信パラメータを決定する。協調送信における制御方法としては、例えば、ＡＭＣ制御、周波数スケジューリング、及び、ビーム制御などが挙げられる。協調送信制御決定部１０５は、決定した送信パラメータを示す協調送信制御情報を、協調送信制御部１０６に出力するとともに、協調基地局２００に送信する。なお、協調送信制御決定部１０５における協調送信の制御方法（送信パラメータの決定方法）の詳細については後述する。
【００３８】
協調送信制御部１０６は、協調送信制御決定部１０５から受け取る協調送信制御情報に従って、ＣｏＭＰ適用端末に対するデータ（図示せず）に対して、ＣｏＭＰ送信の制御処理を行い、処理後のデータを送信処理部１０７に出力する。
【００３９】
送信処理部１０７は、協調送信制御部１０６から受け取るデータに対して送信処理（アップコンバート、Ｄ／Ａ変換など）を施し、送信処理後の信号を、アンテナ１０１を介してＣｏＭＰ適用端末へ送信する。
【００４０】
なお、ここでは、ＣｏＭＰ適用端末がＬＴＥ端末である場合について説明した。ＣｏＭＰ適用端末がＬＴＥ−Ａ端末である場合にも、上述したように、接続基地局１００においてＣＳＩ推定部１０４でのＣＳＩの推定処理を行い、当該ＬＴＥ−Ａ端末に近接する端末のＣＳＩを利用して協調送信制御の内容が決定されてもよい。または、接続基地局１００においてＣＳＩ推定部１０４でのＣＳＩの推定処理は行われず、協調送信制御決定部１０５において、ＣｏＭＰ適用端末であるＬＴＥ−Ａ端末から送信されたＲＳＲＰ（Master, Slave）及びＣＳＩ（Master, Slave）を用いて協調送信制御の内容が決定されてもよい。
【００４１】
協調基地局２００は、接続基地局１００による送信制御に従ってＣｏＭＰ送信を行う基地局である。協調基地局２００は、協調送信制御部２０１、送信処理部２０２、及び、アンテナ２０３を含む構成を採る。
【００４２】
協調送信制御部２０１は、接続基地局１００の協調送信制御決定部１０５から受け取る協調送信制御情報に従って、ＣｏＭＰ適用端末に対するデータ（図示せず）に対して、ＣｏＭＰ送信の制御処理を行い、処理後のデータを送信処理部２０２に出力する。
【００４３】
送信処理部２０２は、協調送信制御部２０１から受け取るデータに対して送信処理（アップコンバート、Ｄ／Ａ変換など）を施し、送信処理後の信号を、アンテナ２０３を介してＣｏＭＰ適用端末へ送信する。
【００４４】
［接続基地局１００及び協調基地局２００の動作］
次に、上述した接続基地局１００及び協調基地局２００の動作について説明する。
【００４５】
図４は、図２に示す通信システム１０の各装置におけるＣｏＭＰ送信時の動作を示すシーケンス図である。
【００４６】
図４において、ステップ（以下、単に「ＳＴ」と表す）１０１では、ＬＴＥ端末（ＣｏＭＰ適用候補）は、接続基地局１００及び協調基地局２００から送信された参照信号を用いて測定したＲＳＲＰ（Master，Slave）、及び、接続基地局１００から送信されたＣＲＳを用いて測定したＣＳＩ（Master）を、接続基地局１００へ報告する。つまり、ＬＴＥ端末から接続基地局１００へはＣＳＩ（Slave）が報告されない。
【００４７】
ＳＴ１０２では、接続基地局１００は、ＳＴ１０１で取得したＬＴＥ端末の情報に基づいて、当該ＬＴＥ端末に対してＣｏＭＰ送信を適用（開始）するか否かを判定する。ここでは、接続基地局１００がＬＴＥ端末に対してＣｏＭＰ送信を適用すると判定したものとする。
【００４８】
ＳＴ１０３では、ＬＴＥ−Ａ端末１，２は、接続基地局１００及び協調基地局２００から送信された参照信号を用いて測定したＲＳＲＰ（Master，Slave）及びＣＳＩ（Master，Slave）を、接続基地局１００へ報告する。なお、ＳＴ１０３に示すＬＴＥ−Ａ端末１，２の送信処理が行われるタイミングは、ＳＴ１０２の処理後に限定されず、各々のＬＴＥ−Ａ端末１，２において後述するＳＴ１０４の処理までに個別に行われていればよい。
【００４９】
ＳＴ１０４では、接続基地局１００は、ＳＴ１０１で取得したＬＴＥ端末（ＣｏＭＰ適用端末）のＣＳＩ（Master）、及び、ＳＴ１０３で取得したＬＴＥ−Ａ端末１，２のＣＳＩ（Master，Slave）を用いて、ＬＴＥ端末（ＣｏＭＰ適用端末）の協調基地局２００に対するＣＳＩ（Slave）を推定する。
【００５０】
ＳＴ１０５では、接続基地局１００は、ＳＴ１０１で取得したＬＴＥ端末のＣＳＩ（Master）、ＲＳＲＰ（Master，Slave）、及び、ＳＴ１０４で推定したＣＳＩ(Slave)を用いて、当該ＬＴＥ端末に対するＣｏＭＰ送信に用いる送信パラメータを決定する。
【００５１】
ＳＴ１０６では、接続基地局１００は、ＳＴ１０５において決定した送信パラメータを示す協調送信制御情報を協調基地局２００へ送信する。
【００５２】
ＳＴ１０７では、接続基地局１００は、ＳＴ１０５において決定した内容に従って、ＬＴＥ端末に対するＣｏＭＰ送信制御を行い、ＳＴ１０８では、協調基地局２００は、ＳＴ１０６において接続基地局１００から指示された協調送信制御情報に示される内容に従って、ＬＴＥ端末に対するＣｏＭＰ送信制御を行う。
【００５３】
ＳＴ１０９及びＳＴ１１０では、接続基地局１００及び協調基地局２００は、ＬＴＥ端末に対してデータ（協調送信データ）を協調して送信する。
【００５４】
［ＣＳＩ推定処理］
次に、接続基地局１００（ＣＳＩ推定部１０４）におけるＣＳＩ推定方法（図４に示すＳＴ１０４の処理）の詳細について説明する。
【００５５】
図５は、接続基地局１００におけるＣＳＩ推定方法の説明に供する図である。
【００５６】
図５に示すように、接続基地局１００は、まず、ＣｏＭＰ適用端末（ＬＴＥ端末）における接続基地局１００との間のＣＳＩ（Master）と、ＬＴＥ−Ａ端末１，２の各々における接続基地局１００との間のＣＳＩ（Master）と、をそれぞれ比較する。そして、接続基地局１００は、複数のＬＴＥ−Ａ端末の中から、ＣｏＭＰ適用端末のＣＳＩ（Master）と最も近いＣＳＩ（Master）に対応するＬＴＥ−Ａ端末を選択する。
【００５７】
具体的には、接続基地局１００は、ＣｏＭＰ適用端末のＣＳＩに含まれるＣＱＩ及びＰＭＩと、各ＬＴＥ−Ａ端末のＣＳＩに含まれるＣＱＩ及びＰＭＩと、をそれぞれ比較し、
ＣｏＭＰ適用端末とＬＴＥ−Ａ端末とのＣＱＩの差分、及び、ＣｏＭＰ適用端末とＬＴＥ−Ａ端末とのＰＭＩの差分に基づいて、ＣｏＭＰ適用端末のＣＳＩに最適なＣＳＩに対応するＬＴＥ−Ａ端末を選択する。
【００５８】
例えば、接続基地局１００は、ＣＱＩ又はＰＭＩの差分に対して閾値を設けて、差分が閾値以内となるＬＴＥ−Ａ端末のうち、ＣｏＭＰ適用端末と最も近いＣＱＩ、ＰＭＩに対応するＬＴＥ−Ａ端末を１台選択してもよい。又は、接続基地局１００は、ＣＱＩ又はＰＭＩの差分に対して閾値を設けて、差分が閾値以内となる複数のＬＴＥ−Ａ端末のＣＳＩの平均値に対応するＬＴＥ−Ａ端末を１台選択してもよい。
【００５９】
図５では、ＬＴＥ−Ａ端末１のＣＳＩ（Master）とＣｏＭＰ適用端末のＣＳＩ（Master）とが近似しており、ＬＴＥ−Ａ端末２のＣＳＩ（Master）とＣｏＭＰ適用端末のＣＳＩ（Master）とが近似していない。そこで、接続基地局１００は、ＬＴＥ−Ａ端末１を選択する。
【００６０】
次に、接続基地局１００は、選択したＬＴＥ−Ａ端末（図５では、ＬＴＥ−Ａ端末１）における協調基地局２００との間のＣＳＩ（Slave）を、ＣｏＭＰ適用端末における協調基地局２００との間のＣＳＩ（Slave）として設定する。
【００６１】
つまり、接続基地局１００は、接続基地局１００において、ＣｏＭＰ適用端末であるＬＴＥ端末のチャネル状態と同程度のチャネル状態であるＬＴＥ−Ａ端末における協調基地局２００との間のＣＳＩ（Slave）を、ＣｏＭＰ適用端末における協調基地局２００との間のＣＳＩ（Slave）として用いる。
【００６２】
以上、接続基地局１００におけるＣＳＩ推定方法について説明した。
【００６３】
［協調送信制御の決定処理］
次に、接続基地局１００（協調送信制御決定部１０５）における協調送信制御方法（図４に示すＳＴ１０５の処理）の詳細について説明する。
【００６４】
図６は、接続基地局１００における協調送信制御方法の一例についての説明に供する図である。
【００６５】
接続基地局１００は、ＬＴＥ−Ａ端末のＣＳＩ（Slave）を用いて推定したＣｏＭＰ適用端末のＣＳＩ（Slave）の推定精度を評価する。そして、接続基地局１００は、例えば、図６に示す評価結果（１）〜（３）に基づいて協調送信制御方法を決定する。
【００６６】
図６に示す各評価結果には、それぞれ異なる組み合わせの送信制御方法が対応付けられている。なお、ＣＳＩに含まれるＣＱＩには、周波数帯域全体のチャネル品質を表す「Wideband CQI」と、周波数帯域全体を分割して得られる複数のサブバンド毎のチャネル品質を表す「Subband CQI」とが含まれる。また、ＣＳＩに含まれるＰＭＩには、周波数帯域全体における位相情報を表す「Wideband PMI」と、複数のサブバンド毎の位相情報を表す「Subband PMI」とが含まれる。
【００６７】
例えば、ＡＭＣ制御は、Wideband CQI又はSubband CQIを用いて制御可能な送信制御方法である。また、周波数スケジューリングは、Subband CQIを用いて制御可能な送信制御方法である。また、ビーム制御は、Wideband PMI又はSubband PMIを用いて制御可能な送信制御方法である。
【００６８】
図６において、評価結果（１）（ＣＳＩ推定精度：◎）、評価結果（２）又は（３）（ＣＳＩ推定精度：○）、評価結果（４）（ＣＳＩ推定精度：×）の順に、ＣＳＩの推定精度が良い。そこで、接続基地局１００は、得られた評価結果のうちＣＳＩ推定精度が最も高い評価結果に対応する送信制御方法の実施を決定する。
【００６９】
具体的には、接続基地局１００は、ＣｏＭＰ適用端末のＣＳＩ（Master）に含まれるＣＱＩ／ＰＭＩと、ＬＴＥ−Ａ端末のＣＳＩ（Master）に含まれるＣＱＩ／ＰＭＩと、が略等しいか否かを判断する。例えば、接続基地局１００は、ＣｏＭＰ適用端末（ＬＴＥ端末）のＣＱＩの値と、ＬＴＥ−Ａ端末の接続基地局１００に対応するＣＱＩの値との差分が閾値以下の場合、ＣＱＩが略等しいと判断する（ＣＱＩ評価：ＯＫ）。
【００７０】
また、接続基地局１００は、ＣｏＭＰ適用端末（ＬＴＥ端末）のＰＭＩの値と、ＬＴＥ−Ａ端末の接続基地局１００に対応するＰＭＩの値とが一致する場合、ＰＭＩが略等しいと判断する（ＰＭＩ評価：ＯＫ）。
【００７１】
評価結果（１）では、ＣｏＭＰ適用端末のＣＳＩ（Slave）値として用いたＣＳＩにおけるＣＱＩ及びＰＭＩの双方の推定精度が良好であると評価されている（ＣＳＩ推定精度：◎）。そこで、接続基地局１００は、ＣＳＩ推定値の全てのパラメータ（Wideband CQI、Subband CQI、Wideband PMI、Subband PMI）を用いた送信制御方法の実施を決定する。
【００７２】
すなわち、接続基地局１００は、ＣｏＭＰ適用端末のＣＳＩ（Master）、及び、ＣＳＩ（Slave）の推定値を用いて、ＡＭＣのパラメータ、周波数スケジューリング及びビーム制御を行い、各送信制御に関する送信パラメータ（ＭＣＳ、割当リソース、プリコーディングウェイトなど）を決定する。
【００７３】
評価結果（２）では、ＰＭＩ評価がＮＧであり、ＣＱＩ評価がＯＫであると評価されている（ＣＳＩ推定精度：○）。そこで、接続基地局１００は、ＣＳＩ推定値のうちＣＱＩ（Wideband CQI、Subband CQI）を用いた送信制御方法（ＡＭＣ制御、周波数スケジューリング）の実施を決定する。
【００７４】
すなわち、接続基地局１００は、ＣｏＭＰ適用端末のＣＳＩ（Master）、及び、ＣＳＩ（Slave）の推定値を用いて、ＡＭＣのパラメータ及び周波数スケジューリングを行い、各送信制御に関する送信パラメータ（ＭＣＳ、割当リソースなど）を決定する。
【００７５】
評価結果（３）では、ＣＱＩ評価がＮＧであり、ＰＭＩ評価がＯＫであると評価されている（ＣＳＩ推定精度：○）。そこで、接続基地局１００は、ＣＳＩ推定値のうちＰＭＩ（Wideband PMI、Subband PMI）を用いた送信制御方法（ビーム制御）の実施を決定する。
【００７６】
すなわち、接続基地局１００は、ＣｏＭＰ適用端末のＣＳＩ（Master）、及び、ＣＳＩ（Slave）の推定値を用いてビーム制御を行い、ビーム制御に関する送信パラメータ（プリコーディングウェイトなど）を決定する。
【００７７】
ＣＳＩ推定精度が評価結果（１）〜（３）の何れにも該当しない場合、接続基地局１００は、ＣＳＩの推定精度が劣悪であると判断し（ＣＳＩ推定精度：×）、ＣＳＩ推定値を用いた送信制御を行わないことを決定する。
【００７８】
なお、ここでは、ＣＱＩを用いた送信制御の一例としてＡＭＣ制御及び周波数スケジューリングを挙げ、ＰＭＩを用いた送信制御の一例としてビーム制御を挙げたが、これらに限定されず、ＣＱＩ及びＰＭＩを用いて制御可能な送信制御方法であればよい。
【００７９】
以上、接続基地局１００における協調送信制御の決定方法について説明した。
【００８０】
このように、本実施の形態では、接続基地局１００は、ＣｏＭＰ適用端末がＬＴＥ端末である場合、複数のＬＴＥ−Ａ端末のうち、各々のＣＳＩ（Master）とＬＴＥ端末のＣＳＩ（Master）とが最も近いＬＴＥ−Ａ端末に対応するＣＳＩ（Slave）を、協調基地局２００とＬＴＥ端末との間のＣＳＩの推定値として設定する。そして、接続基地局１００は、ＬＴＥ端末から報告されるＣＳＩ（Master）、及び、接続基地局１００が推定したＬＴＥ端末のＣＳＩ（Slave）の推定値を用いて、協調送信制御の内容を決定する。
【００８１】
すなわち、本実施の形態では、接続基地局１００は、ＬＴＥ端末に近接するＬＴＥ−Ａ端末のＣＳＩを、当該ＬＴＥ端末における協調基地局２００に対するＣＳＩ（Slave）として用いる。これにより、接続基地局１００は、ＣｏＭＰ適用端末がＬＴＥ端末である場合でも、当該ＬＴＥ端末に対する接続基地局１００及び協調基地局２００の双方のＣＳＩを用いてＣｏＭＰ送信制御を最適化することができる。
【００８２】
また、接続基地局１００は、ＬＴＥ−Ａ端末からのＣＳＩを用いて、ＣｏＭＰ適用端末であるＬＴＥ端末のＣＳＩ（Slave）を推定するので、ＬＴＥ端末から、従来と同様にして接続基地局１００に対するＣＳＩ（Master）のみを取得すればよい。すなわち、ＬＴＥ端末は、従来と同様の処理を行えばよく、ＣｏＭＰ送信を適用するための新たな機能を備える必要は無い。
【００８３】
また、接続基地局１００は、ＬＴＥ−Ａ端末及びＬＴＥ端末の各々から送信されるＣＳＩを同時に取得するので、ＣｏＭＰ適用端末がＬＴＥ端末である場合でも、ＬＴＥ端末から報告される接続基地局１０に対するＣＳＩ（Master）、及び、接続基地局１００が推定するＣＳＩ（Slave）を同時に（例えば同一サブフレーム内で）取得することができ、ＣｏＭＰ送信をＬＴＥ−Ａ端末と同様に適用できる。
【００８４】
よって、本実施の形態によれば、ＬＴＥ端末の機能を拡張することなく、ＬＴＥ端末に対してもＬＴＥ−Ａ端末と同様にしてＣｏＭＰ送信を適用することができる。
【００８５】
更に、本実施の形態によれば、接続基地局１００は、ＣＳＩの推定値の推定精度を評価し、評価結果に基づいて、実施する送信制御方法を決定する。これにより、接続基地局１００は、ＣＳＩ推定値の推定精度に応じた送信制御の実施が可能となり、ＣｏＭＰ送信制御を最適化することができる。
【００８６】
［実施の形態２］
［通信システムの概要］
実施の形態１では、ＣｏＭＰ適用端末の周辺に存在するＬＴＥ−Ａ端末のＣＳＩを利用する場合について説明した。これに対して、本実施の形態では、ＣｏＭＰ適用端末の周辺にＬＴＥ−Ａ端末が存在せずに、ＬＴＥ端末のみが存在する場合について説明する。
【００８７】
図７は、本実施の形態に係る通信システムの構成例を示す。図７に示す通信システム２０では、接続基地局３００及び協調基地局４００が１つの端末（ＣｏＭＰ適用端末）に対してＣｏＭＰ送信を行う。以下では、図２に示すＣｏＭＰ適用端末がＬＴＥ端末である場合について説明する。
【００８８】
また、以下では、一例として、ＣｏＭＰ適用端末が接続基地局３００に接続され、ＬＴＥ端末１，２が協調基地局４００に接続されているものとする。また、ＣｏＭＰ適用端末及びＬＴＥ端末１は、接続基地局１００及び協調基地局２００の双方のセルが重複するエリア（セルエッジ）に位置する。
【００８９】
また、接続基地局３００及び協調基地局４００は、これらの端末に対して、ＣＲＳを送信する。
【００９０】
よって、接続基地局３００に接続しているＣｏＭＰ適用端末（ＬＴＥ端末）は、接続基地局３００から送信されるＣＲＳを用いて、接続基地局３００とＣｏＭＰ適用端末との間のＣＳＩを測定／報告できるものの、協調基地局４００とＣｏＭＰ適用端末との間のＣＳＩを測定／報告できない。
【００９１】
［接続基地局３００及び協調基地局４００の構成］
図８は、本実施の形態に係る接続基地局３００及び協調基地局４００の構成の一例を示すブロック図である。なお、図８において、実施の形態１（図３）と同一の動作を行う構成部には同一符号を付し、その説明を省略する。
【００９２】
接続基地局３００において、ＣＳＩ推定部３０１は、ＣｏＭＰ適用端末のＣＳＩ（Slave）が存在しない場合、協調基地局４００（後述するＣＳＩ推定部４０２）に対して、ＣｏＭＰ適用端末のＣＳＩ（Slave）の推定を指示する。また、ＣＳＩ推定部３０１は、ＣｏＭＰ適用端末のＲＳＲＰ（Master，Slave）及びＣＳＩ（Master）を協調送信制御決定部３０２に出力する。
【００９３】
協調送信制御決定部３０２は、ＣＳＩ推定部３０１から受け取るＣｏＭＰ適用端末のＲＳＲＰ（Master，Slave）、ＣＳＩ（Master）、及び、協調基地局４００（後述するＣＳＩ推定部４０２）から受け取るＣＳＩ推定値（Slave）及びＣＳＩ推定に利用した端末のＲＳＲＰ（Master, Slave）を用いて、協調送信に用いる送信パラメータを決定する。協調送信制御決定部３０２における協調送信の制御方法（送信パラメータの決定方法）の詳細については後述する。
【００９４】
協調基地局４００において、受信処理部４０１は、アンテナ２０３を介して受信した信号に対して受信処理（Ａ／Ｄ変換、ダウンコンバートなど）を施し、受信処理後の信号をＣＳＩ推定部４０２へ出力する。受信信号には、協調基地局４００に接続されたＬＴＥ端末から送信される情報が含まれる。例えば、ＬＴＥ端末から送信される情報として、ＬＴＥ端末において接続基地局３００及び協調基地局４００の各々から送信された参照信号を用いて測定されたＣＳＩ（Slave）及び受信信号電力（ＲＳＲＰ（Master，Slave））が含まれる。
【００９５】
ＣＳＩ推定部４０２は、受信処理部４０１から受け取るＬＴＥ端末のＣＳＩ（Slave）及びＲＳＲＰ（Master，Slave）を用いて、ＣｏＭＰ適用端末のＣＳＩ（Slave）を推定する。ＣＳＩ推定部４０２は、ＣＳＩ推定値（Slave）、及び、ＣＳＩ推定に利用したＬＴＥ端末のＲＳＲＰ（Master，Slave）を接続基地局３００（協調送信制御決定部３０２）に送信する。なお、ＣＳＩ推定部４０２におけるＣＳＩ推定方法の詳細については後述する。
【００９６】
［接続基地局３００及び協調基地局４００の動作］
次に、上述した接続基地局３００及び協調基地局４００の動作について説明する。
【００９７】
図９は、図７に示す通信システム２０の各装置におけるＣｏＭＰ送信時の動作を示すシーケンス図である。なお、図９において、図４と同一の動作には同一符号を付し、その動作の説明を省略する。
【００９８】
図９において、ＳＴ１０２では接続基地局３００がＬＴＥ端末（ＣｏＭＰ適用候補）に対してＣｏＭＰ送信を適用すると判定したものとする。
【００９９】
ＳＴ２０１では、接続基地局３００は、協調基地局４００に対して、ＣＳＩ（Slave）の推定指示を送信する。
【０１００】
ＳＴ２０２では、協調基地局４００に接続しているＬＴＥ端末１，２は、接続基地局１００及び協調基地局２００から送信された参照信号を用いて測定したＲＳＲＰ（Master，Slave）及びＣＳＩ(Slave)を、協調基地局４００へ報告する。
【０１０１】
ＳＴ２０３では、協調基地局４００は、ＳＴ２０１においてＣＳＩ推定指示を受け取ると、ＳＴ２０２で取得したＬＴＥ端末１，２のＲＳＲＰ（Master，Slave）を用いて、ＣｏＭＰ適用端末の協調基地局２００に対するＣＳＩ（Slave）を推定する。
【０１０２】
ＳＴ２０４では、協調基地局４００は、ＳＴ２０３において推定したＣＳＩ値（Slave）及びＣＳＩ推定に利用したＬＴＥ端末のＲＳＲＰ（Master，Slave）を接続基地局３００へ送信する。
【０１０３】
ＳＴ２０５では、接続基地局１００は、ＳＴ１０１で取得したＣｏＭＰ適用端末のＣＳＩ（Master）、ＲＳＲＰ（Master，Slave）、及び、ＳＴ２０４で取得したＣＳＩ(Slave)、ＲＳＲＰ（Master，Slave）を用いて、ＣｏＭＰ適用端末に対するＣｏＭＰ送信に用いる送信パラメータを決定する。
【０１０４】
［ＣＳＩ推定処理］
次に、協調基地局４００（ＣＳＩ推定部４０２）におけるＣＳＩ推定方法（図９に示すＳＴ２０３の処理）の詳細について説明する。
【０１０５】
図１０は、協調基地局４００におけるＣＳＩ推定方法の説明に供する図である。
【０１０６】
図１０に示すように、協調基地局４００は、協調基地局４００に接続しているＬＴＥ端末１，２の各々における接続基地局３００に対するＲＳＲＰ（Master）と協調基地局４００に対するＲＳＲＰ（Slave）との比（以下、ＲＳＲＰ比と呼ぶ）を算出する。
【０１０７】
ここで、図７に示すように、ＬＴＥ端末１は、ＣｏＭＰ適用端末と同様、接続基地局３００及び協調基地局４００の双方のセルエッジに位置する。このため、ＬＴＥ端末１では、接続基地局３００から送信される参照信号、及び、協調基地局４００から送信される参照信号は、略同じレベルにて受信される。すなわち、ＬＴＥ端末１において算出されるＲＳＲＰ比は、１に近い値となる。
【０１０８】
一方、図７に示すように、ＬＴＥ端末２は、接続基地局３００のセルの範囲外であって、協調基地局４００のセル内に位置する。このため、ＬＴＥ端末２では、協調基地局４００から送信される参照信号の受信レベルは、接続基地局３００から送信される参照信号と比較して非常に高い。すなわち、ＬＴＥ端末２において算出されるＲＳＲＰ比（ＲＳＲＰ（Master）／ＲＳＲＰ（Slave））は、１よりも非常に小さい値となる。
【０１０９】
そこで、協調基地局４００は、算出したＲＳＲＰ比が１に近いＬＴＥ端末（図１０ではＬＴＥ端末１）を選択する。そして、協調基地局４００は、選択したＬＴＥ端末における協調基地局２００との間のＣＳＩ（Slave）を、ＣｏＭＰ適用端末における協調基地局４００との間のＣＳＩ（Slave）として設定する。
【０１１０】
このようにして、協調基地局４００は、ＲＳＲＰ比が１に近い値となるＬＴＥ端末を、ＣｏＭＰ適用端末と同様の接続基地局３００及び協調基地局４００の双方のセルエッジに位置する端末であると推定し、当該ＬＴＥ端末のＣＳＩ（Slave）を、ＣｏＭＰ適用端末のＣＳＩ（Slave）として設定する。
【０１１１】
なお、接続基地局３００は、協調基地局４００に対するＣＳＩ推定指示にＣｏＭＰ適用端末のＲＳＲＰ（Master, Slave）を含めてもよい。この場合、協調基地局４００は、ＣｏＭＰ適用端末におけるＲＳＲＰ比と、ＬＴＥ端末１，２におけるＲＳＲＰ比とを比較してもよい。すなわち、協調基地局４００は、算出したＲＳＲＰ比がＣｏＭＰ適用端末におけるＲＳＲＰ比に近いＬＴＥ端末を選択すればよい。こうすることで、協調基地局４００は、ＣｏＭＰ適用端末とより近い環境のＬＴＥ端末を特定することができる。
【０１１２】
すなわち、協調基地局４００（ＣＳＩ推定部４０２）は、ＬＴＥ端末のうち、ＲＳＲＰ比が所定の範囲内である端末に対応するＣＳＩを、協調基地局４００とＣｏＭＰ適用端末のＣＳＩ（Slave）の推定値として設定すればよい。ここで、所定の範囲内としては、例えば、（１±閾値）、又は、（ＣｏＭＰ適用端末のＲＳＲＰ比±閾値）などが設定される。
【０１１３】
また、例えば、協調基地局４００は、ＣＳＩ推定に利用するＬＴＥ端末として、ＲＳＲＰ比が１又はＣｏＭＰ適用端末のＲＳＲＰ比に最も近いＬＴＥ端末を１台選択してもよい。又は、協調基地局４００は、ＬＴＥ端末のうち、ＲＳＲＰ比が所定の範囲内（閾値以内）である端末のＣＳＩの平均値に対応するＬＴＥ端末を１台選択してもよい。
【０１１４】
また、ＬＴＥ端末にＧＰＳ（Global Positioning System）機能が搭載されている場合、協調基地局４００は、各ＬＴＥ端末の位置情報を取得し、ＣｏＭＰ適用端末の位置により近いＬＴＥ端末を選択してもよい。
【０１１５】
以上、協調基地局４００におけるＣＳＩ推定方法について説明した。
【０１１６】
［協調送信制御の決定処理］
次に、接続基地局３００（協調送信制御決定部３０２）における協調送信制御方法（図９に示すＳＴ２０５の処理）の詳細について説明する。
【０１１７】
図１１は、接続基地局３００における協調送信制御方法の一例についての説明に供する図である。
【０１１８】
接続基地局３００は、ＬＴＥ端末のＣＳＩ（Slave）を用いて推定したＣｏＭＰ適用端末のＣＳＩ（Slave）の推定精度を評価する。そして、接続基地局３００は、例えば、図１１に示す評価結果（５）、（６）に基づいて協調送信制御方法を決定する。
【０１１９】
接続基地局３００は、ＣｏＭＰ適用端末のＲＳＲＰ、及び、ＣＳＩの推定に用いられたＬＴＥ端末のＲＳＲＰを用いて、ＣＳＩの推定精度を評価する。
【０１２０】
具体的には、接続基地局１００は、ＣｏＭＰ適用端末におけるＲＳＲＰ（Master）とＲＳＲＰ（Slave）との比（ＲＳＲＰ比）と、ＣＳＩ推定に用いられたＬＴＥ端末におけるＲＳＲＰ比と、が略等しいか否かを判断する。
【０１２１】
例えば、接続基地局３００は、ＣｏＭＰ適用端末とＬＴＥ端末との間のＲＳＲＰ比の差分が閾値以下である場合にＲＳＲＰ比が略等しいと判断する。または、接続基地局３００は、ＬＴＥ端末のＲＳＲＰ比と‘１’との差分が閾値以下の場合に、ＣｏＭＰ適用端末とＬＴＥ端末とのＲＳＲＰ比が略等しいと判断してもよい。
【０１２２】
ＲＳＲＰ（つまり、端末における受信信号レベル）が同程度の場合には、周波数帯域全体の受信品質（Wideband CQIに相当）が同程度であると言える。つまり、評価結果（５）では、ＣｏＭＰ適用端末のＣＳＩ（Slave）値として用いたＣＳＩにおいてWideband CQIの推定精度が良好であると評価されている。そこで、接続基地局３００は、ＣＳＩ推定値のうちWideband CQIを用いた送信制御方法（ＡＭＣ制御）の実施を決定する。
【０１２３】
ＣＳＩ推定精度が評価結果（５）に該当しない場合、接続基地局３００は、ＣＳＩの推定精度が劣悪であると判断し（ＣＳＩ推定精度：×）、ＣＳＩ推定値を用いた送信制御を行わないことを決定する。
【０１２４】
以上、接続基地局３００における協調送信制御の決定方法について説明した。
【０１２５】
このように、本実施の形態では、接続基地局３００は、ＣｏＭＰ適用端末がＬＴＥ端末である場合、協調基地局４００に対してＣｏＭＰ適用端末のＣＳＩ（Slave）の推定を指示する。そして、協調基地局４００は、接続されているＬＴＥ端末のうち、ＲＳＲＰ比が１に近いＬＴＥ端末に対応するＣＳＩ（Slave）を、協調基地局２００とＣｏＭＰ適用端末との間のＣＳＩの推定値として設定する。そして、接続基地局３００は、ＣｏＭＰ適用端末から報告されるＣＳＩ（Master）、及び、協調基地局４００が推定したＣｏＭＰ適用端末のＣＳＩ（Slave）の推定値を用いて、協調送信制御の内容を決定する。
【０１２６】
すなわち、本実施の形態では、接続基地局３００は、ＣｏＭＰ適用端末に近接するＬＴＥ端末のＣＳＩを、ＣｏＭＰ適用端末における協調基地局４００に対するＣＳＩ（Slave）として用いる。これにより、接続基地局３００は、ＣｏＭＰ適用端末がＬＴＥ端末である場合でも、当該ＬＴＥ端末に対する接続基地局３００及び協調基地局４００の双方のＣＳＩを用いてＣｏＭＰ送信制御を最適化することができる。
【０１２７】
また、接続基地局３００は、ＣｏＭＰ適用端末以外の他のＬＴＥ端末に対するＣＳＩを用いて、ＣｏＭＰ適用端末であるＬＴＥ端末のＣＳＩ（Slave）を推定するので、ＬＴＥ端末であるＣｏＭＰ適用端末から、従来と同様にして接続基地局１００に対するＣＳＩ（Master）のみを取得すればよい。すなわち、ＬＴＥ端末は、従来と同様の処理を行えばよく、ＣｏＭＰ送信を適用するための新たな機能を備える必要は無い。
【０１２８】
よって、本実施の形態によれば、ＬＴＥ端末の機能を拡張することなく、ＬＴＥ端末に対してもＬＴＥ−Ａ端末と同様にしてＣｏＭＰ送信を適用することができる。
【０１２９】
以上、本開示の一態様に係る各実施の形態について説明した。
【０１３０】
なお、本開示の一態様では、上述したように、ＬＴＥ端末とＬＴＥ−Ａ端末とが混在する場合が想定される。このため、本開示の一態様では、実施の形態１と実施の形態２の動作を組み合わせてもよい。例えば、接続基地局（１００，３００）及び協調基地局（２００，４００）は、ＣｏＭＰ適用端末の周辺にＬＴＥ−Ａ端末が存在する場合には実施の形態１を適用し、ＣｏＭＰ適用端末の周辺にＬＴＥ端末のみが存在する場合には実施の形態２を適用してもよい。
【０１３１】
また、実施の形態２では、接続基地局３００（協調送信制御決定部３０２）において、ＬＴＥ端末から推定されたＣＳＩ（Slave）についてＲＳＲＰ比を用いて評価する場合について説明した（図１１を参照）。しかし、ＲＳＲＰ比を用いた評価方法を、実施の形態１におけるＬＴＥ−Ａ端末から推定されたＣＳＩ（Slave）についての評価に適用してもよい。すなわち、図６に示す評価項目（１）〜（４）に対して、図１１に示す評価項目（５），（６）を追加してもよい。これにより、例えば、図６に示す評価結果（１）〜（３）の何れにも該当しない場合でも、図１１に示す評価結果（５）に該当する場合には、ＡＭＣ制御が適用される。
【０１３２】
また、上記各実施の形態では、本開示の一態様に係る発明をハードウェアで構成する場合を例にとって説明したが、本開示の一態様に係る発明はハードウェアとの連携においてソフトウェアでも実現することも可能である。
【０１３３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサーを利用してもよい。
【０１３５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１３６】
本開示の一態様に係る発明は、ＣｏＭＰ送信を行う通信システムに好適である。
【符号の説明】
【０１３７】
１０，２０  通信システム
１００，３００  接続基地局
１０１，２０３  アンテナ
１０２，４０１  受信処理部
１０３  判定部
１０４，３０１，４０２  ＣＳＩ推定部
１０５，３０２  協調送信制御決定部
１０６，２０１  協調送信制御部
１０７，２０２  送信処理部
２００，４００  協調基地局
【図１】
0006369756.tif 000002
【図２】
0006369756.tif 000003
【図３】
0006369756.tif 000004
【図４】
0006369756.tif 000005
【図５】
0006369756.tif 000006
【図６】
0006369756.tif 000007
【図７】
0006369756.tif 000008
【図８】
0006369756.tif 000009
【図９】
0006369756.tif 000010
【図１０】
0006369756.tif 000011
【図１１】
0006369756.tif 000012